(57)【特許請求の範囲】
【請求項１】
外郭を形成する本体内に配されて空気流を送風する電動送風機と、前記本体の上面開放部から挿入された手を乾燥する乾燥室と、前記乾燥室の内面に配されて前記電動送風機から送風された空気流を噴出する噴出孔と、前記電動送風機の送風側と噴出孔を連通する空気室と、前記乾燥室の内面下方に配された吸気口と、前記電動送風機を収納する電動送風機ケースと、前記電動送風機ケース下部に配され、前記吸気口と連動しているドレンタンクと、前記ドレンタンクと前記電動送風機の間で吸気流路の一部を形成するための中箱体とを設け、前記ドレンタンクおよび前記中箱体が前記本体から着脱可能に設けられていることを特徴とする手乾燥装置。
【請求項２】
外郭を形成する本体内に配されて空気流を送風する電動送風機と、前記本体の上面開放部から挿入された手を乾燥する乾燥室と、前記乾燥室の内面に配されて前記電動送風機から送風された空気流を噴出する噴出孔と、前記噴出孔から噴出した空気流を回収するために乾燥室の内面下方に配された吸気口と、この吸気口と電動送風機の吸入側を連通する循環流路と、電動送風機の送風側と噴出孔を連通する空気室と、前記電動送風機を収納する電動送風機ケースと、前記電動送風機ケース下部に設けたドレンタンクと、前記ドレンタンクと前記電動送風機ケースの間で前記循環流路の一部を形成するための中箱体とを設け、前記ドレンタンクおよび前記中箱体が前記本体から着脱可能に設けられていることを特徴とする手乾燥装置。
【請求項３】
中箱体の底面の一部を開口させたドレン用開口部により、乾燥室でできたドレン水を前記循環流路中のドレン用開口部からドレンタンクに落とすように構成してなる請求項２記載の手乾燥装置。
【請求項４】
中箱体に取り外し可能なフィルターを設けたことを特徴とする請求項1〜３のいずれか１項記載の手乾燥装置。
【発明の詳細な説明】
【０００１】
【発明の属する技術分野】
本発明は、水洗い等で濡れた手を乾燥させるために、洗面所やトイレ・キッチン等で使用する手乾燥装置に関するものである。
【０００２】
【従来の技術】
従来、水洗い等によって濡れた手をタオルやハンカチを使用して拭く代わりに、送風された温風に手をかざすことによって、手を衛生的に乾燥する手乾燥装置が実用化されている。例えばヘヤドライヤとしても使用できるもの等が開発されている。これらは、誘導電動機によりシロッコタイプの羽根からなる送風手段を回転させて空気流を発生し、電気ヒータからなる加熱手段により空気流を加熱して、手挿入部に温風を吹き出すものであるが、上から水滴を吹き落とすため水滴が下に飛び散るという課題があった。
【０００３】
これを改善したものも開発されており、例えば、図5に示すように、高圧空気流発生装置6１から後吹出ノズル6２と前吹出ノズル6３を経て送風される空気流を、手の両面に同時に高速噴流として吹き付け、手挿入部６４より挿入した手の水分を吹き飛ばして乾燥させるものである。そして、吹き飛ばした水滴の内、乾燥室の下に落ちた水のみ回収するためのドレンパイプを有し、ドレンパイプからの水をドレンタンクにて回収するものである。
【０００４】
【発明が解決しようとする課題】
しかし上記従来例のように高速噴流により水分を吹き飛ばす手乾燥装置は、水滴をドレンタンクに集め、細いホース等で排出するが、水の通るところが細いため、手が届かないなど、清掃性が悪いという課題があった。
【０００５】
そこで本発明は上記問題点を解消し、取り外し可能にするとともに掃除することができるようにすることを目的としている。
【０００６】
【課題を解決するための手段】
本発明は、外郭を形成する本体内に配されて空気流を送風する電動送風機と、前記本体の上面開放部から挿入された手を乾燥する乾燥室と、前記乾燥室の内面に配されて前記電動送風機から送風された空気流を噴出する噴出孔と、前記電動送風機の送風側と噴出孔を連通する空気室と、前記乾燥室の内面下方に配された吸気口と、前記電動送風機を収納する電動送風機ケースと、前記電動送風機ケース下部に配され、前記吸気口と連動しているドレンタンクと、前記ドレンタンクと前記電動送風機の間で吸気流路の一部を形成するための中箱体とを設け、前記ドレンタンクおよび前記中箱体を前記本体から着脱可能に設けられている構成としてある。
【０００７】
また、外郭を形成する本体内に配されて空気流を送風する電動送風機と、前記本体の上面開放部から挿入された手を乾燥する乾燥室と、前記乾燥室の内面に配されて前記電動送風機から送風された空気流を噴出する噴出孔と、前記噴出孔から噴出した空気流を回収するために乾燥室の内面下方に配された吸気口と、この吸気口と電動送風機の吸入側を連通する循環流路と、電動送風機の送風側と噴出孔を連通する空気室と、前記電動送風機を収納する電動送風機ケースと、前記電動送風機ケース下部に設けたドレンタンクと、前記ドレンタンクと前記電動送風機ケースの間で循環流路の一部を形成するための中箱体とを設け、前記ドレンタンクおよび前記中箱体が前記本体から着脱可能に設けられている構成としてある。
【０００８】
さらに中箱体の底面の一部を開口させたドレン用開口部により、乾燥室でできたドレン水を循環流路中のドレン用開口部からドレンタンクに落とすように構成してある。
【０００９】
そして中箱体に取り外し可能なフィルターを設けてある。
【００１０】
この発明によれば、電動送風機からの空気流により吹き飛ばされた空気と水滴は吸気口を通り、水滴はドレンタンクに集められ、空気と分離される。この水滴と空気を分離するドレンタンクと中箱体とは取り外し可能であるので、清掃性をアップさせることができる。またドレンタンクを取り外すことにより、乾燥室とドレンタンクの間も空気を通すことが可能となり、大きな開口になって清掃が容易になる。
【００１１】
また、ドレンタンクと電動送風機ケースの間で循環流路の一部を形成するための中箱体の場合も取りはずしが可能でり、清掃性が向上する。
【００１２】
そして中箱体にあるフィルターも取り外しができるため清掃性が向上する。
【００１３】
【発明の実施の形態】
以下、本発明の実施形態について図１〜図４を参照して説明する。図１は本実施形態の手乾燥装置の全体構成を概略して示す斜視図、図２はその縦断正面図、図３は図２のＡ−Ａ断面図、図４は着脱可能部品を分解して示す斜視図である。
【００１４】
以下の説明では空気を循環させて手を乾燥する手乾燥装置の構成で説明する。
【００１５】
１は空気流を送風する電動送風機である。2は本体で、手を乾燥する乾燥室4を有し、その上面を開放して手挿入部３（開放部）としてある。乾燥室4の入口部（内面上方）４ａには電動送風機１が送風する空気流を噴出する噴出孔５を、また奥部（内面下方）４ｂには噴出孔５から噴出した空気流を回収する吸気口6を有している。乾燥室4の下方には電動送風機1及び電動送風機1へ空気を供給する送風流路７（電動送風機1の左側の流路）を、また吸気口６から電動送風機1へ空気を環流するための循環流路を備え、循環流路8は吸気口6から下へ延び、空気と水滴の両方を含んだ回収部8ａと、回収部8ａから電動送風機1への環流部8ｂと、送風流路7とにわかれ，回収部8ａからドレンタンク9へ水滴を回収するための水滴回収口10が設けてある。
【００１６】
１１は電動送風機1を収納する電動送風機ケースで、送風流路7からファン１２の中心へ空気を吸引し、円周状に送風するようになっている。そして、送風の一部空気流がファン１２の内部からモーター１３へ空気を逃がす構成にしてある。
【００１７】
次に図３の断面図により電動送風機１から出たあとの空気の流れにそって構成を説明する。１４は空気室で前空気室１４ａと後空気室１４ｂに分かれ、互いに連通している。空気室１４は本体２内で左右幅ほぼ全体を占め、十分広い断面積（噴出孔５の約１０倍以上）を確保している。空気室１４に入った空気は内部を通過し、噴出孔５から乾燥室４へ吹出す。
【００１８】
図４に示すようにドレンタンク9の上には循環流が通過するための流路を形成する中箱体１７が設けてあり、この中箱体１７の電動送風機1側へ入る部分にはフィルター１８を設けてある。１９はドレンタンク9へ水滴を落とすためのドレン用開口部である。ドレンタンク9は本体2から着脱可能で、なおかつ中箱体１７、フィルター１８の各々は分離可能である。
【００１９】
２０はセンサ、２１は電源スイッチである。
【００２０】
次に上記構成の動作について説明する。手が手挿入部３より乾燥室４内に挿入されると、センサ２０が手を検出して電動送風機１を駆動する。すると吸気口6から吸い込まれた空気流は循環流路8及び送風流路7を通り電動送風機１に吸い込まれ，ファン1２の中心からファン１２のはねを通り円周状に空気を吐き出す。
【００２１】
電動送風機1から出た空気は空気室１４の両前空気室１４ａ、後空気室１４ｂを通って噴出孔５に導かれる。前空気室１４ａ、後空気室１４ｂでは、上述のように噴出孔５に比べて断面積が十分広く確保されているため、ほぼ均等な圧縮状態となり、噴出孔５から安定した高速噴流を噴出することができる。噴出孔５は、手の平と手の甲の両面同時に噴流を吹き付けるよう対峙して設けられており、その噴出方向を、乾燥室４の奥方向、すなわち図では下方向（挿入された手の指の方向：手は図示せず）にわずか( ５〜１０゜) に傾けている。
【００２２】
一方、図２に示すように、空気流とともに吸気口6に吸入された水滴は、循環流路8の回収部8ａで空気流にのって下方に加速し、環流部8ｂへの屈曲位置において、慣性により水滴回収口10の位置に落下分離され、ドレンタンク9に回収される。フィルター１８は主に電動送風機１に塵埃が流入するのを防いでいる。
【００２３】
メンテナンス時には電源スイッチ２１を一旦ＯＦＦにして清掃を行うが、ドレンタンク9、中箱体１７、フィルター１８の全てあるいはいずれかを、本体２から取り外して分離し、流水にさらして物理力を与えながら洗浄することができる。このように、ドレンタンク9、中箱体１７などを取り外し可能なため清掃が容易で、非常に使い勝手の良いものである。
【００２４】
【発明の効果】
上記のように本発明によれば、水滴と空気に分離するドレンタンクと中箱体とを取り外し可能にしてあるので、清掃性がアップする。またドレンタンクを取り外すことにより、乾燥室とドレンタンクの間も空気を通すことが可能となり、大きな開口になるため清掃が容易になる。
【００２５】
また、ドレンタンクと電動送風機ケースの間で循環流路の一部を形成する場合も、中箱体が取りはずしできるため、清掃性が向上する。
【００２６】
そして電動送風機の上流側の中箱体にあるフィルターも取り外しができるため清掃性が向上する。
【００２７】
このように、ドレンタンク、中箱体、フィルターを取り外し可能な構成とすることができる手乾燥装置であるため、また、そのことにより取り外しを行なわない部分も空気の流路に清掃時に手が届くため、清潔な装置を提供することができる。
【図面の簡単な説明】
【図１】本発明の一実施形態の手乾燥装置の全体構成を示す斜視図。
【図２】同実施形態を示す縦断正面図。
【図３】図２のＡ−Ａ断面図。
【図４】（ａ）同実施形態における手乾燥装置を分解して示す斜視図。
（ｂ）同実施形態におけるドレンタンクと中箱体を分解して示す斜視図。
【図５】従来の手乾燥装置の構成を示す縦断側面図。
【符号の説明】
１  電動送風機
４  乾燥室
５  噴出孔
６  吸気口
８  循環流路
９  ドレンタンク
１１  電動送風機ケース
１４  空気室
１７  中箱体
１８  フィルター
１９  ドレン用開口部
【図１】
0004064605.tif 000002
【図２】
0004064605.tif 000003
【図３】
0004064605.tif 000004
【図４】
0004064605.tif 000005
【図５】
0004064605.tif 000006